(57)【要約】【課題】浴室内の温度を温度センサーで検出し、加熱手段を制御することで浴室内の温度を制御していたが、吹出し空気の温度を制御していないため、高温または低温の吹出し空気が使用者にあたり不快感を与えるという課題であった。【解決手段】送風手段５により浴室の空気を装置の吸込口３から吸い込み、加熱手段であるＰＴＣヒーター６および加湿手段である加湿ノズルボックス７を通過後、吹出口温度検出手段である吹出口温度サーミスタ１４を有する装置の吹出口８から浴室に吹き出す装置であって、前記吹出口温度サーミスタ１４の検出値により吹出し温度を制御することができ、温度制御された温風空気を使用者に送風することができる浴室サウナ装置が得られる。【選択図】図１
2008125793.tif 000002
【特許請求の範囲】
【請求項１】
空気を加熱する加熱手段と、空気を加湿する加湿手段と、浴室の空気を循環する送風手段と、装置の吹出口に設けた吹出口温度検出手段と、前記加熱手段、前記加湿手段、前記送風手段および前記吹出口温度検出手段を制御する制御手段を備え、前記送風手段により前記浴室の空気を前記装置の吸込口から吸い込み、前記加熱手段および前記加湿手段を通過後、前記吹出口から浴室に吹き出す構成であって、前記吹出口温度検出手段の検出値により吹出し温度を制御することを特徴とした浴室サウナ装置。
【請求項２】
装置の吸込口に吸込口温度検出手段を有し、前記吸込口温度検出手段の検出値により浴室の温度を制御することを特徴とした請求項１記載の浴室サウナ装置。
【請求項３】
吹出口温度検出手段の検出値と、吸込口温度検出手段の検出値と、装置使用者が設定した浴室の設定温度を制御手段にフィードバックし、浴室の温度を制御することを特徴とした請求項２記載の浴室サウナ装置。
【請求項４】
加熱手段の加熱量を可変することを特徴とした請求項１〜３いずれか記載の浴室サウナ装置。
【請求項５】
装置の吸込口から吸い込み、加熱手段および加湿手段を通過後、装置の吹出口から浴室に吹き出す空気の送風量を送風手段により可変することを特徴とした請求項１〜４いずれか記載の浴室サウナ装置。
【請求項６】
加湿手段の加湿量を可変することを特徴とした請求項１〜５いずれか記載の浴室サウナ装置。
【請求項７】
装置の吹出口から吹出す空気の風向を変更する風向変更手段を有することを特徴とした請求項１〜６いずれか記載の浴室サウナ装置。
【請求項８】
浴室の空気を排気する換気手段を備え、前記換気手段と連動する制御手段を有することを特徴とした請求項１〜３いずれか記載の浴室サウナ装置。
【発明の詳細な説明】
【技術分野】
【０００１】
本発明は、浴室などの断熱性のある仕切られた空間に適温多湿の空気を送風する浴室サウナ装置に関する。
【背景技術】
【０００２】
従来、この種の浴室サウナ装置としては、浴室天面に設置され吸込口と送風装置とスチーム発生装置と吹出口を備えたものが知られている（例えば、特許文献１参照）。
【０００３】
図６に基づいて、その具体例を説明する。
【０００４】
図６に示すように、浴室天井面２０１に設置された浴室サウナ装置２０２は浴室面に吸気口２０３とルーバー２０４を備え、吸気口２０３、送風機２０５、送風口２０６、ルーバー２０４は連通された構成である。給水管２０７から給水された水をスチーム用ヒーター２０８で加熱し、送風口２０６に備えられたノズル２０９からスチームとして噴出し、送風機２０５で浴室から送られた空気と交わり多湿空気となり、ルーバー２０４から多湿空気が浴室内へ送風される。浴室内に浴室温度を検知する温度センサー（図示なし）を配置し、温度センサーの検出値により、スチーム用ヒーター２０８の電源オン・オフを行い、浴室の温度を調節するようになっている。
【特許文献１】特開２００３−２０７１７６号公報
【発明の開示】
【発明が解決しようとする課題】
【０００５】
このような従来の浴室サウナ装置では、浴室内の温度を温度センサーで検出し、加熱手段を制御することで浴室内の温度を制御していたが、吹出し空気の温度を制御していないため、高温または低温の吹出し空気が使用者にあたり不快感を与えるという課題があった。
【０００６】
本発明は、このような従来の課題を解決するものであり、装置使用時に、不快感を与える高温または低温吹出し空気を使用者に送風することなく、サウナに適した制御された吹出し温風を使用者に送風すると共に、浴室の温度を制御することができるサウナ装置を提供することを目的とする。
【課題を解決するための手段】
【０００７】
本発明の浴室サウナ装置は上記目的を達成するために、空気を加熱する加熱手段と、空気を加湿する加湿手段と、浴室の空気を循環する送風手段と、装置の吹出口に設けた吹出口温度検出手段と、前記加熱手段、前記加湿手段、前記送風手段および前記吹出口温度検出手段を制御する制御手段を備え、前記送風手段により前記浴室の空気を前記装置の吸込口から吸い込み、前記加熱手段および前記加湿手段を通過後、前記吹出口から浴室に吹き出す構成であって、前記吹出口温度検出手段の検出値により吹出し温度を制御するようにしたものである。
【０００８】
この手段により、温度制御された温風空気を使用者に送風することができる浴室サウナ装置が得られる。
【０００９】
また、装置の吸込口に吸込口温度検出手段を有し、前記吸込口温度検出手段の検出値により浴室の温度を制御するようにしたものである。
【００１０】
この手段により、温度制御された温風空気を使用者に送風するとともに、浴室の温度を制御調整できるサウナ装置が得られる。
【００１１】
また、吹出口温度検出手段の検出値と、吸込口温度検出手段の検出値と、装置使用者が設定した浴室の設定温度を制御手段にフィードバックし、浴室の温度を制御するようにしたものである。
【００１２】
この手段により、温度制御された温風空気を使用者に送風するとともに、装置使用者が設定した浴室の設定温度に浴室の温度を制御調整できる浴室サウナ装置が得られる。
【００１３】
また、加熱手段の加熱量を可変するようにしたものである。
【００１４】
この手段により、温度制御された温度バラツキの少ない温風空気を使用者に送風するとともに、浴室の温度を制御調整できる浴室サウナ装置が得られる。
【００１５】
また、装置の吸込口から吸い込み、加熱手段および加湿手段を通過後、装置の吹出口から浴室に吹き出す空気の送風量を送風手段により可変するようにしたものである。
【００１６】
この手段により、温度制御された温度バラツキの少ない温風空気を使用者に送風するとともに、浴室の温度を制御調整できる浴室サウナ装置が得られる。
【００１７】
また、加湿手段の加湿量を可変するようにしたものである。
【００１８】
この手段により、温度制御された温度バラツキの少ない温風空気を使用者に送風するとともに、浴室の温度を制御調整できる浴室サウナ装置が得られる。
【００１９】
また、装置の吹出口から吹出す空気の風向を変更する風向変更手段を有したものである。
【００２０】
この手段により、浴室の温度をより均一化することができる浴室サウナ装置が得られる。
【００２１】
また、浴室の空気を排気する換気手段を備え、前記換気手段と連動する制御手段を有したものである。
【００２２】
この手段により、浴室の温湿度を下げることができる安価な浴室サウナ装置が得られる。
【発明の効果】
【００２３】
本発明の浴室サウナ装置によれば、送風手段により浴室の空気は装置の吸込口から吸い込み、送風手段、加熱手段および加湿手段を通過後、吹出口温度検出手段を有する装置の吹出口から浴室に吹き出す構成で、吹出口温度検出手段の検出値により吹き出し温度を制御する構造により温度制御された温風空気を使用者に送風することができる効果のある浴室サウナ装置を提供できる。
【００２４】
また、吹出口温度検出手段の検出値と、吸込口温度検出手段の検出値と、吸込口温度検出手段の検出値と設定温度との差により、制御手段が吹出し温度の制御と浴室の温度を設定温度に調節する制御を同時に行う構造により温度制御された温風空気を使用者に送風するとともに、装置使用者が設定した浴室の設定温度に浴室の温度を制御調整できる効果のある浴室サウナ装置を提供できる。
【００２５】
また、制御手段が吹出し温度の制御と浴室の温度を設定温度に調節する時に加熱手段の加熱量、送風手段の送風量、加湿手段の加湿量を可変することができる構造により温度制御された温度バラツキの少ない温風空気を使用者に送風するとともに、浴室の温度を制御調整できる効果のある浴室サウナ装置を提供できる。
【００２６】
また、装置の吹出口から吹出す空気の風向を変更する風向変更手段を有し、吹出し風向を可動させることにより吹出し空気を浴室の各部に吹出し温風を送ることができる構造により、浴室の温度をより均一化することができる効果のある浴室サウナ装置を提供できる。
【００２７】
また、浴室の空気を排気する換気手段と連動する制御手段を有し、換気手段の動作により浴室の温められた多湿の空気が排気され、浴室外から吸気することができる構造により、安価に浴室の温湿度を下げることができる効果のある浴室サウナ装置を提供できる。
【発明を実施するための最良の形態】
【００２８】
本発明の請求項１記載の浴室サウナ装置は、空気を加熱する加熱手段と、空気を加湿する加湿手段と、浴室の空気を循環する送風手段と、装置の吹出口に設けた吹出口温度検出手段と、前記加熱手段、前記加湿手段、前記送風手段および前記吹出口温度検出手段を制御する制御手段を備え、前記送風手段により前記浴室の空気を前記装置の吸込口から吸い込み、前記加熱手段および前記加湿手段を通過後、前記吹出口から浴室に吹き出す構成としたものであり、吹出口温度検出手段の検出値により制御手段が吹出し温度を制御することが行えるという作用を有する。
【００２９】
また、装置の吸込口に吸込口温度検出手段を有し、前記吸込口温度検出手段の検出値により浴室の温度を制御することを特徴としたものであり、吹出口温度検出手段の検出値および、吸込口温度検出手段の検出値により、制御手段が吹出し温度と浴室の温度を同時に制御することができる。
【００３０】
また、吹出口温度検出手段の検出値と、吸込口温度検出手段の検出値と、装置使用者が設定した浴室の設定温度を制御手段にフィードバックしたものであり、吹出温度検出手段の検出値と、吸込口温度検出手段の検出値と設定温度との差により、制御手段が同時に吹出し温度の制御と浴室の温度を設定温度に調節する制御することができる。
【００３１】
また、加熱手段の加熱量を可変することを特徴としたものであり、吹出口温度検出手段の検出値と吸込口温度検出手段の検出値により、制御手段が加熱手段の出力量を随時可変させ、同時に吹出し温度の制御と浴室の温度制御することができる。
【００３２】
また、装置の吸込口から吸い込み、加熱手段および加湿手段を通過後、装置の吹出口から浴室に吹き出す空気の送風量を送風手段により可変することを特徴としたものであり、吹出口温度検出手段の検出値と吸込口温度検出手段の検出値と加熱手段の加熱量により、制御手段が送風手段の送風量を随時可変させ、同時に吹出し温度の制御と浴室の温度制御することができる。
【００３３】
また、加湿手段の加湿量を可変することを特徴としたものであり、吹出口温度検出手段の検出値と吸込口温度検出手段の検出値により、制御手段が加湿手段の加湿量を随時可変させ、吹出し空気の顕熱と潜熱の割合を変化させることで吹出し温度制御を行い、同時に浴室の温度を制御することができる。
【００３４】
また、装置の吹出口から吹出す空気の風向を変更する風向変更手段を有することを特徴としたものであり、吹出口の風向変更手段により吹出す空気の風向を変更することができ浴室の各部に温風を送ることができる。
【００３５】
また、浴室の空気を排気する換気手段を備え、前記換気手段と連動する制御手段を有することを特徴としたものであり、換気手段の動作により、浴室の温められた多湿の空気が排気され、浴室の吸気口を介して浴室外から吸気することができる。
【００３６】
以下、本発明の実施の形態について図面を参照しながら説明する。
【００３７】
（実施の形態１）
図１に示すように、浴室サウナ装置１は浴室天面部２に取り付けられ、浴室サウナ装置１の浴室側に浴室の空気を取り入れる吸込口３が開口している。吸込口３は、送風手段としてモーター４によって回転駆動する送風ファン５に連通している。送風ファン５の吹出し側は、加熱手段としてのＰＴＣヒーター６と、加湿手段としての加湿ノズルボックス７を介して浴室サウナ装置１の浴室側に開口している吹出口８に連通して設けられている。加湿ノズルボックス７は、給湯管９から電磁弁１０を介して取り付けられたノズル１１と排水管１２に連通する排水口１３が設けられており、給湯管９から供給される温水をノズル１１で微細ミスト化することにより加湿を行い、残水を排水口１３から排水管１２を介して排水する。吹出口８には吹出口温度検出手段としては、吹出口温度サーミスタ１４が設けられている。制御手段として制御ユニット１５があり、この制御ユニット１５はモーター４、ＰＴＣヒーター６、電磁弁１０、吹出口温度サーミスタ１４に電気的に接続されている。
【００３８】
上記構成により、浴室の空気は送風ファン５により吸込口３から吸い込まれ、ＰＴＣヒーター６で加熱され、さらに、加湿ノズルボックス７のノズル１１から噴出する微細化ミストと混合されることで加湿されて、吹出口８から加温加湿された空気が吹き出される。吹出しの温度は、吹出口温度サーミスタ１４の検出値により制御ユニット１５がＰＴＣヒーター６の電源ＯＮ・ＯＦＦを行うことで、ある一定温度になるように制御している。吹出口温度サーミスタ１４の検出値によるＰＴＣヒーター電源ＯＮ、ＯＦＦ制御例は、以下に示す。吹出口温度サーミスタ１４の検出値が９０℃に到達するまではＰＴＣヒーター６を電源ＯＮとし、検出値が９０℃に到達時にＰＴＣヒーター６を電源ＯＦＦとし、検出値が８０℃になるまでＰＴＣヒーター６の電源ＯＦＦを継続する。検出値が８０℃まで下がった時に再度ＰＴＣヒーター６を電源ＯＮとする。この制御の繰り返しにより、吹出し温度は８０〜９０℃にでき、温度制御された温風空気を使用者に送風することができる。
【００３９】
（実施の形態２）
図２において、実施の形態１と異なるところは、浴室サウナ装置１の使用者が浴室温度の設定が行える浴室温度設定部１６と、吸込口３に吸込口温度検出手段として吸込口温度サーミスタ１７が設けられており、浴室温度設定部１６と吸込口温度サーミスタ１７は制御ユニット１５に電気的に接続されている点である。図２において、図１と同じ構成要素については同じ符号を用い、その説明は省略する。
【００４０】
上記構成により、吸い込み空気の温度は吸込口温度サーミスタ１７で検出し、吹出しの温度は吹出口温度サーミスタ１４で検出し、各検出値により制御ユニット１５がＰＴＣヒーター６の電源ＯＮ・ＯＦＦを行い、浴室サウナ装置１の使用者が設定した浴室温度設定値になるように浴室の温度を制御するとともに、吹出しの温度がある一定温度になるように制御する。ＰＴＣヒーター６の電源ＯＮ・ＯＦＦと吸込口温度サーミスタ１７と吹出口温度サーミスタ１４の検出値についての制御例を以下に示す。浴室サウナ装置１使用者が設定した浴室温度設定値を４２℃とした場合、吸込口温度サーミスタ１７の検出値が４３℃の温度に上昇して到着するまではＰＴＣヒーター６は電源ＯＮとし、検出値が４３℃に到達したときにＰＴＣヒーター６は電源ＯＦＦとし、検出値が４１℃の温度に下降するまではＰＴＣヒーター６は電源ＯＦＦを継続する。検出値が４１℃まで下がった時に再度ＰＴＣヒーター６は電源ＯＮとする。この制御を繰り返すことにより、浴室サウナ装置１の使用者が設定した浴室温度設定値４２℃前後の温度で浴室の温度を安定制御させることができる。上記の吸込口温度サーミスタ１７の検出値によるＰＴＣヒーター６の電源ＯＮ・ＯＦＦ制御でＰＴＣヒーターの電源ＯＮ時に、実施の形態１で示した吹出口温度サーミスタ１４の検出値によるＰＴＣヒーター６の電源ＯＮ・ＯＦＦ制御を行うことで８０〜９０℃の吹出し温度に制御ができ、温度制御された温風空気を浴室サウナ装置１の使用者に送風するとともに浴室の温度を浴室サウナ装置１の使用者が設定した浴室温度設定値にすることができる。
【００４１】
（実施の形態３）
図３において、実施の形態２と異なるところは、制御ユニット１５内にＰＴＣヒーター６の印加電圧を可変させるＰＴＣヒーター可変電圧制御部１８と、モーター４の回転数を可変させる可変回転数制御部１９が設けられ、電磁弁１０の代わりに給湯管９から加湿ノズルボックス７に供給される温水の量を調節する流量弁２０を用いて、この流量弁２０は制御ユニット１５に電気的に接続されて点である。図３において、図２と同じ構成要素については同じ符号を用い、その説明を省略する。
【００４２】
上記構成により、吸い込み空気の温度を吸込口温度サーミスタ１７で検出し、吹出しの温度を吹出口温度サーミスタ１４で検出し、各検出値により制御ユニット１５内のＰＴＣヒーター可変電圧制御部１８がＰＴＣヒーター６の電圧を制御して加熱量の可変を行い、浴室サウナ装置１使用者が設定した浴室温度設定値になるように浴室の温度を制御するとともに、吹出しの温度がある一定温度になるように制御させる。ＰＴＣヒーター加熱量と吸込口温度サーミスタ１７と吹出口温度サーミスタ１４の検出値にもとづいた制御例を以下に示す。浴室サウナ装置１の使用者を設定した浴室温度設定値が４２℃とした場合、ＰＴＣヒーター可変電圧制御部１８が制御するＰＴＣヒーター６の加熱量は、吸込口温度サーミスタ１７の検出値が４１．５℃未満では１００％になるように電圧を制御し、吸込口温度サーミスタ１７の検出値が４１．５℃以上４２．０℃未満では７５％になるように電圧を制御し、吸込口温度サーミスタ１７の検出値が４２．０℃以上４２．５℃未満では５０％になるように電圧を制御し、吸込口温度サーミスタ１７の検出値が４２．５℃以上４３．０℃未満では２５％になるように電圧を制御し、吸込口温度サーミスタ１７の検出値が４３．０℃以上では０％になるように電圧を制御する。同様に、ＰＴＣヒーター可変電圧制御部１８が制御するＰＴＣヒーター６の加熱量は、吹出口温度サーミスタ１４の検出値が８１℃未満では１００％になるように電圧を制御し、吹出口温度サーミスタ１４の検出値が８１℃以上８４℃未満では７５％になるように電圧を制御し、吹出口温度サーミスタ１４の検出値が８４℃以上８７℃未満では５０％になるように電圧を制御し、吹出口温度サーミスタ１４の検出値が８７℃以上９０℃未満では２５％になるように電圧を制御し、吹出口温度サーミスタ１４の検出値が９０℃以上では０％になるように電圧を制御する。吸込口温度サーミスタ１７の検出値によるＰＴＣヒーター６の加熱量と吹出口温度サーミスタ１４の検出値によるＰＴＣヒーター６の加熱量で、加熱量に差が生じる場合は加熱量の低い値としてＰＴＣヒーター可変電圧制御部１８はＰＴＣヒーター６の加熱量を制御する。この制御により、浴室サウナ装置１の使用者が設定した浴室温度設定値に近づくまで温度バラツキの少ない温度制御された温風空気を使用者に送風するとともに、浴室の温度を浴室サウナ装置１の使用者が設定した浴室温度設定値で温度バラツキの少なくすることができる。
【００４３】
また、吹出口温度サーミスタ１４の検出値により、可変回転数制御部１９でモーター４の回転数を可変させ、送風量が可変することにより吹出し温度を制御する。吹出口温度サーミスタ１４の検出値から吹出し温度が高い場合は、可変回転数制御部１９でモーター４の回転数を高回転にすることで吹出し温度を低下させ、吹出し温度が低い場合は、可変回転数制御部１９でモーター４の回転数を低回転にすることで吹出し温度を上昇させ、温度バラツキの少ない温度制御された温風空気を使用者に送風することができる。
【００４４】
また、吹出口温度サーミスタ１４の検出値により、流量弁２０でノズル１１へ供給される温水量を可変することにより加湿量を可変して、吹出し温度を制御する。吹出口温度サーミスタ１４の検出値から吹出し温度が高い場合は、流量弁２０で温水量を増加し加湿量を増加させ、吹出し空気の顕熱量を減少させることで吹出し温度を低下させる。また、吹出し温度が低い場合は、流量弁２０で温水量を減少し加湿量を減少させ、吹出し空気の潜熱量を減少させ顕熱量の増加により吹出し温度を上昇させることで、温度バラツキの少ない温度制御された温風空気を使用者に送風することができる。
【００４５】
（実施の形態４）
図４において、実施の形態３と異なるところは、吹出口８に吹出し空気の風向を変更する風向変更手段として可動ルーバー２１が設けられ、可動ルーバー２１は制御ユニット１５に電気的に接続されている点である。図４において、図３と同じ構成要素については同じ符号を用い、その説明を省略する。
【００４６】
上記構成により、可動ルーバー２１をスイングすることで浴室内の各部に吹出し空気を送風することができ、浴室の温度をより均一化することができる。
【００４７】
また、発汗作用を促すサウナ運転時は、吹出口温度サーミスタ１４の検出値が例えば４５℃以下の低温時には、吹出し空気が使用者にあたらないように可動ルーバー２１方向を制御し冷風感を与えないようにし、吹出口温度サーミスタ１４の検出値が例えば４５℃以上の場合、使用者側に吹出し空気があたるように可動ルーバー２１方向を制御し温風を使用者にあて、より発汗作用を促進させることができる。
【００４８】
（実施の形態５）
図５において、実施の形態４と異なるところは、換気モーター２２によって回転駆動する換気送風ファン２３が吸込口３と排気口２４を連通し、換気モーター２２は制御ユニット１５に電気的に接続されている点である。図５において、図４と同じ構成要素については同じ符号を用い、その説明を省略する。
【００４９】
上記構成により、浴室サウナ装置１使用者が設定した浴室設定温度よりも吸込口温度サーミスタ１７の検出値が高く、浴室の温度が下がらない場合に、換気モーター２２は電源ＯＮし、換気送風ファン２３を回し、浴室の空気を吸込口３から排気口２４へ排気し、浴室の吸気口を介して浴室外から浴室よりも低い温度の空気を吸気することにより浴室の温度を下げることができ、浴室サウナ装置１使用者が設定した浴室温度設定値よりも浴室の温度が高い場合に安価に浴室の温度を下げることができる。
【産業上の利用可能性】
【００５０】
本発明の浴室サウナ装置は、暖房・乾燥・換気として浴室での空気調和装置の用途にも適用でき、また、サウナ機能・吹出し温度の制御が可能であり動植物の育成・保存にも適用できる。
【図面の簡単な説明】
【００５１】
【図１】本発明の実施の形態１の浴室サウナ装置の側面断面図
【図２】本発明の実施の形態２の浴室サウナ装置の側面断面図
【図３】本発明の実施の形態３の浴室サウナ装置の側面断面図
【図４】本発明の実施の形態４の浴室サウナ装置の側面断面図
【図５】本発明の実施の形態５の浴室サウナ装置の側面断面図
【図６】従来の浴室サウナ装置の側面断面図
【符号の説明】
【００５２】
１    浴室サウナ装置
３    吸込口
４    モーター
５    送風ファン
６    ＰＴＣヒーター
７    加湿ノズルボックス
８    吹出口
１１  ノズル
１４  吹出口温度サーミスタ
１５  制御ユニット
１７  吸込口温度サーミスタ
２１  可動ルーバー
２２  換気モーター
２３  換気送風ファン
【図１】
2008125793.tif 000003
【図２】
2008125793.tif 000004
【図３】
2008125793.tif 000005
【図４】
2008125793.tif 000006
【図５】
2008125793.tif 000007
【図６】
2008125793.tif 000008